(57)【特許請求の範囲】
【請求項１】
展示物収納部の前面、背面、両側面および上面の少なくとも一部を透明に形成した展示ショーケースに設置する照明装置であって、鑑賞の妨げとならない位置に設置した光源装置と、この光源装置の光を前記展示物収納部の所定の位置まで導光する透明の導光部材と、この導光部材の少なくとも一部の導光光を展示物に照射する方向に制御する光制御部材とを備え、前記導光部材を前記展示ショーケースの土台に任意の長さだけ収納自在に設置した照明装置。
【請求項２】
展示物収納部の前面、背面、両側面及び上面の少なくとも一部を透明に形成した展示ショーケースに設置する照明装置であって、底面の任意の位置からショーケースの内部に設置された透明の導光部材と、前記導光部材の少なくとも一部の導光光を展示物に照射する方向に制御する光制御部材と、前記導光部材の下端から光を導入させる光源装置とを備え、前記導光部材を前記展示ショーケースの土台に任意の長さだけ収納自在に設置した照明装置。
【請求項３】
前記導光部材は板状である請求項２記載の照明装置。
【請求項４】
前記板状の導光部材は前記展示ショーケースの内面に略沿って設けられる請求項３記載の照明装置。
【請求項５】
展示物収納部の前面、背面、両側面及び上面の少なくとも一部を透明に形成した展示ショーケースに設置する照明装置であって、底面の少なくとも１つの角から前記展示ショーケースの高さ方向に沿って、前記展示ショーケースの角に近接して設置された透明の棒状の導光部材と、前記導光部材の少なくとも一部の導光光を展示物を照射する方向に制御する光制御部材と、前記導光部材の下端から光を導入させる光源装置とを備え、前記導光部材を前記展示ショーケースの土台に任意の長さだけ収納自在に設置した照明装置。
【請求項６】
導光部材の断面形状が、ケース内の角に近接するような多角形形状である請求項５記載の照明装置。
【請求項７】
展示物収納部の前面、背面、両側面および上面の少なくとも一部を透明に形成した展示ショーケースに設置する照明装置であって、鑑賞の妨げとならない位置に設置した光源装置と、この光源装置の光を前記展示物収納部の所定の位置まで導光する透明の導光部材と、この導光部材の少なくとも一部の導光光を展示物に照射する方向に制御する光制御部材とを備え、前記光源装置からの光の入射端である前記導光部材の一端は前記展示ショーケースの土台内に有り、前記導光部材は前記展示物収納部内で略９０度折れ曲がった構造であり、かつ前記導光部材の前記折れ曲がり部の外側は４５度の鏡面処理が施された平面であり、前記導光部材の表面は平滑である照明装置。
【請求項８】
展示物収納部の前面、背面、両側面及び上面の少なくとも一部を透明に形成した展示ショーケースに設置する照明装置であって、底面の任意の位置からショーケースの内部に設置された透明の導光部材と、前記導光部材の少なくとも一部の導光光を展示物に照射する方向に制御する光制御部材と、前記導光部材の下端から光を導入させる光源装置とを備え、前記光源装置からの光の入射端である前記導光部材の前記下端は前記展示ショーケースの土台内に有り、前記導光部材は前記展示物収納部内で略９０度折れ曲がった構造であり、かつ前記導光部材の前記折れ曲がり部の外側は４５度の鏡面処理が施された平面であり、前記導光部材の表面は平滑である照明装置。
【請求項９】
展示物収納部の前面、背面、両側面および上面の少なくとも一部を透明に形成した展示ショーケースに設置する照明装置であって、鑑賞の妨げとならない位置に設置した光源装置と、この光源装置の光を前記展示物収納部の所定の位置まで導光する透明の導光部材と、この導光部材の少なくとも一部の導光光を展示物に照射する方向に制御する光制御部材とを備え、前記光制御部材は、前記導光部材の上端の上方に、導光部材長手方向に回転可能な反射鏡を設けている照明装置。
【請求項１０】
展示物収納部の前面、背面、両側面及び上面の少なくとも一部を透明に形成した展示ショーケースに設置する照明装置であって、底面の任意の位置からショーケースの内部に設置された透明の導光部材と、前記導光部材の少なくとも一部の導光光を展示物に照射する方向に制御する光制御部材と、前記導光部材の下端から光を導入させる光源装置とを備え、前記光制御部材は、前記導光部材の上端の上方に、導光部材長手方向に回転可能な反射鏡を設けている照明装置。
【請求項１１】
前記反射鏡が、前記導光部材の光軸方向を軸として回転可能とした請求項９または請求項１０記載の照明装置。
【請求項１２】
前記導光部材の上端部に凸レンズを設置した請求項９または請求項１０記載の照明装置。
【請求項１３】
前記凸レンズと前記導光部材の上端の距離が前記凸レンズの焦点距離の範囲内で前記導光部材の光軸方向に変更できる請求項１２記載の照明装置。
【請求項１４】
請求項１から請求項１３までのいずれか１項記載の照明装置を有するショーケース。
【発明の詳細な説明】
【０００１】
【発明の属する技術分野】
この発明は、展示ショーケースの照明に用いる照明装置およびショーケースに関するものである。
【０００２】
【従来の技術】
第１の従来例を図２８に示す。すなわち展示用のショーケース２０２の上方の建物の天井２００に設けた別置のスポットライト、ダウンライト等の光源２０１でショーケース２０２の内部を照明するものである。
【０００３】
第２の従来例を図２９に示す。すなわち、第１の従来例においてさらに補助照明として、ケース土台に設置した光源装置２０３から光ファイバ２０４を、ケース２０２の底部から突出させて設置した金属製パイプ２０５内を通して設置し、パイプ２０５の上端に設けた反射鏡２０６で照射方向を制御してショーケース２０２内部を照明するものである。また金属パイプ２０５、反射鏡２０６の代わりに金属フレキシブルチューブを用いたものもある。
【０００４】
第３の従来例を図３０、図３１に示す。図３０は全周展示のタイプ、図３１は片面展示の覗きケースである。ケース２０２の天井部２０７に光源収納ボックスを設け乳白パネル２０８を介してケース２０２の内部を照明するものである。
【０００５】
第４の従来例を図３２に示す。光源装置２０３を土台内部に設置し、光ファイバ２０４を金属製パイプ２０５で形成された透明部材固定用枠の内部を通してケース２０２の上部に導き、ケース２０２の上部から照明するものである。
【０００６】
【発明が解決しようとする課題】
しかし、第１の従来例は、ショーケース２０２と光源２０１が分離しているため、レイアウト変更が不便であり、ケース２０２と光源２０１を個々に移動させる必要があり、天井に光源２０１を設置できる所にしか移動できない。また光源２０１とショーケース２０２の間隔が大きいため配光制御が困難であり、ショーケース２０２を形成する透明部材による反射・屈折により、ケース２０２の底面に影やエッジが出やすい。また光源２０１が高所に設置されるためメンテナンスが不便である。
【０００７】
第２の従来例は金属パイプ２０５が展示物鑑賞の障害となり、ケース２０２の上部にまでパイプ２０５を延ばせない。
【０００８】
第３の従来例は、光源ボックスがケース天井部２０７にあるため、メンテナンスが不便であり、ケース２０２の内部へ赤外線も同時に放射されるため、ケース内の温度が上昇し、ケース２０２の天井部２０７が不透明となるため、展示物の鑑賞の障害となる。
【０００９】
第４の従来例は、金属パイプを用いた透明部材固定用枠２０９が展示物の鑑賞の障害となる。
【００１０】
したがって、この発明の目的は、展示物の鑑賞の障害とならず、配光制御が容易で、メンテナンスが容易な照明装置およびショーケースを提供することである。
【００１１】
【課題を解決するための手段】
請求項１記載の照明装置は、展示物収納部の前面、背面、両側面および上面の少なくとも一部を透明に形成した展示ショーケースに設置する照明装置であって、鑑賞の妨げとならない位置に設置した光源装置と、この光源装置の光を前記展示物収納部の所定の位置まで導光する透明の導光部材と、この導光部材の少なくとも一部の導光光を展示物に照射する方向に制御する光制御部材とを備え、前記導光部材を前記展示ショーケースの土台に任意の長さだけ収納自在に設置したものである。
【００１２】
請求項１記載の照明装置によれば、導光部材は透明であるため展示物鑑賞の障害とならず、美観を損ねない。導光部材によりケース上部まで容易に導光でき、ケースの天井部が透明でも導光部材を設置できる。また光制御部材により配光制御が容易になり、さらに光源装置を鑑賞の妨げとならない位置に設置することによりメンテナンスを容易にできる。また展示物収納部での導光部材の高さを容易に調節でき、任意の高さから展示物を照明できる。
【００１３】
請求項２記載の照明装置は、展示物収納部の前面、背面、両側面及び上面の少なくとも一部を透明に形成した展示ショーケースに設置する照明装置であって、底面の任意の位置からショーケースの内部に設置された透明の導光部材と、前記導光部材の少なくとも一部の導光光を展示物に照射する方向に制御する光制御部材と、前記導光部材の下端から光を導入させる光源装置とを備え、前記導光部材を前記展示ショーケースの土台に任意の長さだけ収納自在に設置したものである。
【００１４】
請求項２記載の照明装置によれば、請求項１と同様な効果がある。
【００１５】
請求項３記載の照明装置は、請求項２において、前記導光部材を板状としたものである。
【００１６】
請求項３記載の照明装置によれば、請求項２と同様な効果がある。
【００１７】
請求項４記載の照明装置は、請求項３において、前記板状の導光部材が前記展示ショーケースの内面に略沿って設けられるものである。
【００１８】
請求項４記載の照明装置によれば、請求項３と同様な効果がある。
【００１９】
請求項５記載の照明装置は、展示物収納部の前面、背面、両側面及び上面の少なくとも一部を透明に形成した展示ショーケースに設置する照明装置であって、底面の少なくとも１つの角から前記展示ショーケースの高さ方向に沿って、前記展示ショーケースの角に近接して設置された透明の棒状の導光部材と、前記導光部材の少なくとも一部の導光光を展示物を照射する方向に制御する光制御部材と、前記導光部材の下端から光を導入させる光源装置とを備え、前記導光部材を前記展示ショーケースの土台に任意の長さだけ収納自在に設置したものである。
【００２０】
請求項５記載の照明装置によれば、請求項１と同様な効果のほか、導光部材が展示物収納部の隅に位置するので、より一層鑑賞を妨げない。
【００２１】
請求項６記載の照明装置は、請求項５において、導光部材の断面形状が、ケース内の角に近接するような多角形形状であるものである。
【００２２】
請求項６記載の照明装置によれば、請求項５と同様な効果のほか、展示物収納部のケースの隅にフィットし、略一体化した状態となるため、より展示物の鑑賞を損ねない。
【００２３】
請求項７記載の照明装置は、展示物収納部の前面、背面、両側面および上面の少なくとも一部を透明に形成した展示ショーケースに設置する照明装置であって、鑑賞の妨げとならない位置に設置した光源装置と、この光源装置の光を前記展示物収納部の所定の位置まで導光する透明の導光部材と、この導光部材の少なくとも一部の導光光を展示物に照射する方向に制御する光制御部材とを備え、前記光源装置からの光の入射端である前記導光部材の一端は前記展示ショーケースの土台内に有り、前記導光部材は前記展示物収納部内で略９０度折れ曲がった構造であり、かつ前記導光部材の前記折れ曲がり部の外側は４５度の鏡面処理が施された平面であり、前記導光部材の表面は平滑であるものである。
【００２４】
請求項７記載の照明装置によれば、導光部材は透明であるため展示物鑑賞の障害とならず、美観を損ねない。導光部材によりケース上部まで容易に導光でき、ケースの天井部が透明でも導光部材を設置できる。また光制御部材により配光制御が容易になり、さらに光源装置を鑑賞の妨げとならない位置に設置することによりメンテナンスを容易にできる。展示物の下面の照明が容易にでき、また導光部材は殆ど光らず透明であるので鑑賞を妨げず目的の場所を効果的に照明できる。
【００２５】
請求項８記載の照明装置は、展示物収納部の前面、背面、両側面及び上面の少なくとも一部を透明に形成した展示ショーケースに設置する照明装置であって、底面の任意の位置からショーケースの内部に設置された透明の導光部材と、前記導光部材の少なくとも一部の導光光を展示物に照射する方向に制御する光制御部材と、前記導光部材の下端から光を導入させる光源装置とを備え、前記光源装置からの光の入射端である前記導光部材の前記下端は前記展示ショーケースの土台内に有り、前記導光部材は前記展示物収納部内で略９０度折れ曲がった構造であり、かつ前記導光部材の前記折れ曲がり部の外側は４５度の鏡面処理が施された平面であり、前記導光部材の表面は平滑であるものである。
【００２６】
請求項８記載の照明装置によれば、請求項７と同様な効果がある。
【００２７】
請求項９記載の照明装置は、展示物収納部の前面、背面、両側面および上面の少なくとも一部を透明に形成した展示ショーケースに設置する照明装置であって、鑑賞の妨げとならない位置に設置した光源装置と、この光源装置の光を前記展示物収納部の所定の位置まで導光する透明の導光部材と、この導光部材の少なくとも一部の導光光を展示物に照射する方向に制御する光制御部材とを備え、前記光制御部材は、前記導光部材の上端の上方に、導光部材長手方向に回転可能な反射鏡を設けているものである。
【００２８】
請求項９記載の照明装置によれば、導光部材は透明であるため展示物鑑賞の障害とならず、美観を損ねない。導光部材によりケース上部まで容易に導光でき、ケースの天井部が透明でも導光部材を設置できる。また光制御部材により配光制御が容易になり、さらに光源装置を鑑賞の妨げとならない位置に設置することによりメンテナンスを容易にできる。また任意の方向に容易に配光制御することができる。
【００２９】
請求項１０記載の照明装置は、展示物収納部の前面、背面、両側面及び上面の少なくとも一部を透明に形成した展示ショーケースに設置する照明装置であって、底面の任意の位置からショーケースの内部に設置された透明の導光部材と、前記導光部材の少なくとも一部の導光光を展示物に照射する方向に制御する光制御部材と、前記導光部材の下端から光を導入させる光源装置とを備え、前記光制御部材は、前記導光部材の上端の上方に、導光部材長手方向に回転可能な反射鏡を設けているものである。
【００３０】
請求項１０記載の照明装置によれば、請求項９と同様な効果がある。
【００３１】
請求項１１記載の照明装置は、請求項９または請求項１０において、前記反射鏡が、前記導光部材の光軸方向を軸として回転可能としたものである。
【００３２】
請求項１１記載の照明装置によれば、請求項９または請求項１０と同様な効果のほか、導光部材の長手方向である光軸方向を軸として回転可能としたため、照射角を任意に変更でき、より幅広い配光制御ができる。
【００３３】
請求項１２記載の照明装置は、請求項９または請求項１０において、前記導光部材の上端部に凸レンズを設置したものである。
【００３４】
請求項１２記載の照明装置によれば、請求項９または請求項１０と同様な効果のほか、照射角を絞った配光ができる。
【００３５】
請求項１３記載の照明装置は、請求項１２において、前記凸レンズと前記導光部材の上端の距離が前記凸レンズの焦点距離の範囲内で前記導光部材の光軸方向に変更できるものである。
【００３６】
請求項１３記載の照明装置によれば、請求項１２と同様な効果のほか、展示物に応じて照射角を任意に変更でき、幅広い配光制御が行なえる。
【００３７】
請求項１４記載のショーケースは、請求項１から請求項１３までのいずれか１項記載の照明装置を有するものである。
【００３８】
請求項１４記載のショーケースによれば、請求項１から請求項１３までのいずれか１項と同様の効果がある。
【００５１】
【発明の実施の形態】
この発明の第１の実施の形態を図１により説明する。すなわち、この照明装置を有するショーケース１０は、展示物収納部９の前面１、背面２、両側面３、４の４面および上面５が透明部材例えばガラスで形成された展示ショーケースである。
【００５２】
このショーケースの照明装置は、導光部材６と、光源装置７と、光制御部材８とを有する。
【００５３】
導光部材６は光源装置７の光を展示物収納部９の所定の位置まで導光する透明体である。実施の形態では、表面が平滑で外から見て透き通って見える透明なアクリル製の板状であり、ショーケース１０の両側面３、４の一対のガラスの内側近傍に展示物収納部９の底面からガラス（３、４）に沿って突き出して設置されている。導光部材６の下端はショーケース土台１１の内部にある。導光部材６の周囲の大部分は屈折率の最も小さい（＝１）空気で覆われる。
【００５４】
光源装置７は、鑑賞の妨げとならない位置に設置している。実施の形態では、ショーケース土台１１の内部に設けられ、導光部材６の下端に沿って導光部材６の下端に配光制御する反射鏡を備えた蛍光灯を設置している。
【００５５】
光制御部材８は、導光部材６の少なくとも一部の導光光を展示物１３に照射する方向に制御する。実施の形態では、導光部材６の上端の上方に、導光部材６からの出射光を反射して展示物１３を照射するように反射鏡を設置している。
【００５６】
蛍光灯（７）からの出射光が直接或いは反射鏡を介して導光部材６に入射する。入射した光は導光部材６中を導光するが、側面が平滑であり、かつその周囲の大部分が低屈折率（＝１）の空気で覆われているため、側面から光が漏れることは殆どない。導光部材６中を導光した光は上端から出射し、その上部に設けられた反射鏡（８）で反射されて、展示物１３を効率よく照明する。
【００５７】
なお、導光部材６の側面は完全な平滑性を有さなくても同様の効果は得られるが、より平滑であるほうが効果は大きい。また導光部材６はアクリル製でなく、屈折率の高い透明な樹脂或いはガラスであっても同様の効果を示す。また光制御部材９である反射鏡の表面は、その目的に応じて鏡面だけでなく拡散処理を施しても良い。
【００５８】
この実施の形態によれば、導光部材６は透明であるため、消灯時はもちろん点灯時でも透明性を有するので展示物１３の鑑賞の障害とならない。従って美観も損ねない。導光部材６はケース１０の上部まで容易に導光できる。ケース１０の天井部である上面５が透明部材でも設置できる。光源装置７が容易に手の届くショーケース土台１１に設置されるのでランプ交換等のメンテナンスが容易である。導光部材６を土台１１に任意の長さだけ収納すれば高さ調節も容易である。ケース１０の内部で照明できるため、ケース１０のガラス等の透明部材の反射・屈折によるケース底面での影及びエッジの発生がない。またショーケース１０の単体で照明できるため、レイアウト変更が容易であり、設置場所も自由である。また紫外線、赤外線が導光部材６で吸収されるため、照射光が展示物１３を痛めない。光源装置７がショーケース１０の土台１１にあるため、照射光の色変更が容易となる。導光部材６の側面が平滑であれば側面からの光漏れが生じないので、点灯時でも導光部材６の側面は殆ど輝度がゼロとなり、より展示物１３の鑑賞を妨げない。
【００５９】
第１の実施の形態の変形の実施の形態を図２に示す。すなわち、図２（ａ）は、光制御部材６としてプリズムを用いている。図２（ｂ）は光源装置７の一部として終端発光タイプの光ファイバ７ａを導光部材６の下端に沿って複数設置したものを用いている。図２（ｃ）は光源装置７として楕円反射鏡を備えたランプ７ｂを、その集光光が導光部材６の下端に入射するように複数配置している。図２（ｄ）は導光部材６の下端に大部分の光を照射する光ファイバ（例えば３Ｍ社製強力サイドライト、ブリジストン社製レイダックロッド）を用いている。
【００６０】
これらの各実施の形態も第１の実施の形態と同様の効果を示す。
【００６１】
この発明の第２の実施の形態を図３に示す。すなわち、この照明装置は、ショーケース１０が鑑賞者がケース１０の上方から鑑賞する覗きケースに適用するものである。ショーケース１０の展示物収納部９は、鑑賞側に対向する背面側の側面が不透明板材１５で、他の側面および上面は透明なガラス板で覆われている。表面が平滑な透明なアクリル製の板状の導光部材６が展示物収納部９の不透明部材１５の内側近傍の底面から、不透明部材１５に沿って上方に突き出して設置されている。導光部材６の下端はショーケース土台１１の内部にある。
【００６２】
光源装置７は、ショーケース土台１１の内部に設置され、導光部材６の下端に沿って導光部材６の下端に配光制御する反射鏡を備えた蛍光灯を設置している。
【００６３】
光制御部材８は、導光部材６の上端の上方に、導光部材６からの出射光を反射して展示物１３を照射するようにプリズムを設置している。
【００６４】
第２の実施の形態は、第１の実施の形態と同様な作用効果を有し、さらに光源装置７のボックスが展示物収納部９内にないため、天面も完全にガラス等により透明にすることができるため、鑑賞領域が広がる。光源装置７が土台１１の内部に位置するため、メンテナンスが容易であり、またメンテナンス時に展示環境（温度、湿度等）を損ねない。
【００６５】
この発明の第３の実施の形態を図４に示す。すなわち、この照明装置は、第１の実施の形態において、ショーケース１０を構成する相対向する１対のガラスが導光部材６を兼ねたものである。光制御部材８は導光部材６の上端部で展示物収納部９の内側に突出したプリズムとなっている。またプリズム上面は鏡面処理が施されている。
【００６６】
動作において、導光部材６であるガラスを導光した光が、その上端に設けられた光制御部材８内に広がって照射され、そのプリズム上面の鏡面及びプリズム下面で１回或いは複数回反射した後、プリズム下面から照射されて展示物１３を照明する。
【００６７】
ショーケース１０を構成する透明部材が導光部材６を兼ねるため、コスト減となり、展示物収納部９内に無駄なパーツがなく、より鑑賞を妨げない。
【００６８】
その他は第１の実施の形態と同様である。
【００６９】
この発明の第４の実施の形態を図５に示す。すなわち、第１の実施の形態において、展示物収納部９の底面の４隅の近傍から高さ方向に沿って、導光部材６である透明のアクリル製の丸棒が突出して設置されている。丸棒の表面は平滑面であり、下端はショーケース土台１１内に位置している。ショーケース土台１１の内部に光フアイバ光源装置７が設置されており、導光部材６の下端に光フアイバ出射端面を近接させて設置している。一方導光部材６の上端の上方に、導光部材６からの出射光を反射して展示物１３を照射するように光制御部材８である反射鏡が設置されている。
【００７０】
動作において、光源装置７の光フアイバ７ａの出射光が導光部材６に入射し、導光部材６中を側面から漏れることなく導光し、その上端から出射する。その上端からの出射光はその上部に設けられた反射鏡（８）で反射されて、展示物１３を効率よく照明する。したがって、導光部材６が展示物収納部９の隅に位置するので、より鑑賞を妨げない。
【００７１】
その他は、第１の実施の形態と同様である。
【００７２】
なお、光源装置７は、楕円反射鏡を備えたランプを、その集光光が導光部材６の下端に入射するように配置したものを用いても同様の効果を示す。また光制御部材８の反射鏡の表面は、その目的に応じて鏡面だけでなく拡散処理を施しても良い。また、プリズムを用いても良い。導光部材６はアクリル製でなく、屈折率の高い透明な樹脂或いはガラスであっても同様の効果を示す。
【００７３】
図６は第４の実施の形態の変形の実施の形態であり、図６（ａ）はケース１０内の隅角に近接するような透明導光部材６の断面多角形のうち、断面３角形の場合であり、図６（ｂ）は断面４角形の場合である。いずれも、展示物収納部９のケース１０の隅にフィットし、略一体化した状態となるため、より展示物の鑑賞を損ねない。
【００７４】
この発明の第５の実施の形態を図７に示す。すなわち、この照明装置は、ショーケース１０の展示物収納部９は、その天面及び側面の４面がガラスで覆われている。ショーケース１０のガラスの内側近傍の展示物収納部９の底板９ａから、透明なアクリル製の板状の導光部材６が側面のガラスに沿って貫通突出し、かつ展示物収納部９の底板９ａの近傍で９０°に折り曲げられたコーナ部６ａを有し、かつ展示物収納部９の底板９ａに沿って台１７によって底上げされた展示物１３の下方の近辺まで設置されている。コーナ部６ａの外側は底板９ａの水平面に対して４５°の傾斜平面をなし、かつ鏡面処理が施されている。
【００７５】
アクリル製導光部材６の表面は平滑であり、導光部材６の下端はショーケース土台１１の内部にあり、さらに導光部材６の下端に沿って導光部材６の下端に複数の光ファイバ７ａが設置されている。光ファイバ７ａの反対側の端部は光源装置７に接続されている。
【００７６】
導光部材６の光源側とは反対側の他端に、導光部材６からの出射光を反射して展示物１３を照射するように光制御部材８である反射鏡が設置されている。また展示物収納部９の底面上で展示物１３の下方に、展示物１３の底面の観賞用に反射鏡１５が設置されている。
【００７７】
また展示物収納部９内のアクリル製の導光部材６は、展示物収納部９の底面の導光部材６の下方に設置された複数の支持部材１６（図８参照）によって支持されており、導光部材６が展示物収納部９の底面に密接することはない。また支持部材１６の先端は先細りで小径の丸みを持った形状となっており、導光部材６との接触面積は非常に小さくなっている。従って、導光部材６の周囲の大部分は屈折率の最も小さい（＝１）空気で覆われている。
【００７８】
動作について説明する。光源装置７の蛍光灯からの出射光が直接或いは反射鏡を介してアクリル導光部材６に入射する。入射した光は導光部材６中を導光し、展示物収納部９内のコーナ部６ａの鏡面処理による反射面にて略９０度反射され、引き続き導光部材６の先端まで導光される。このとき、側面が平滑であり、かつその周囲の大部分が低屈折率（＝１）の空気で覆われているため、側面から光が漏れることは殆どない。導光部材６中を導光した光は展示物１３の下方の先端から出射し、その先に設けられた光制御用の反射鏡（８）で反射されて、展示物１３の下面を効率よく照明する。
【００７９】
なお、導光部材６の側面は完全な平滑性を有さなくても同様の効果は得られるが、より平滑であるほうが効果は大きい。また光源装置７は、楕円反射鏡を備えたランプを、その集光光が導光部材６の下端に入射するように複数配置したもの、或いはアクリル導光部材６の下端に大部分の光を照射することができる光ファイバ（例えば３Ｍ社製強力サイドライト、ブリジストン社製レイダックロッド）、或いは導光部材６の下端に沿って下端に配光制御する反射鏡を備えた蛍光灯を用いても同様の効果を示す。また導光部材６の先端部に設置された光制御用の反射鏡表面は、その目的に応じて鏡面だけでなく拡散処理を施しても良い。導光部材６はアクリル製でなく、屈折率の高い透明な樹脂或いはガラスであっても同様の効果を示す。
【００８０】
第５の実施の形態によれば、展示物１３の下面の照明が容易にでき、導光部材６は殆ど光らず、透明であるので鑑賞を妨げず、目的の場所を効果的に照明できる。
【００８１】
その他は、第１の実施の形態と共通である。
【００８２】
図８は、この発明の第５の実施の形態の変形の実施の形態であり、光制御部材８を反射鏡に代えてプリズムにしたものである。
【００８３】
この発明の第６の実施の形態を図９に示す。すなわち、この照明装置は、第４の実施の形態（図５）において、展示物収納部９の天面中央に、展示物収納部９の４隅に設置された導光部材６の夫々に対して正対するように、天面側を除く各面が位置するような４面体形状の別の光制御部材１８として反射鏡が設置されている。４面体形状反射鏡（１８）の導光部材６に正対する面は全て同一形状となっている。また導光部材上方に設置されている反射鏡は鏡面であり、かつ導光部材６の上端からの射出光を反射し、夫々が対向する４面体形状反射鏡（１８）の鏡面を照射するような角度に設置されている。
【００８４】
動作において、導光部材６の上方に設置されている反射鏡（１８）で反射された光は、展示物収納部９の天面中央に設けられた４面体形状の反射鏡（１８）で反射され、下方に位置する展示物１３を真上から照明する。
【００８５】
なお、展示物収納部９の天面中央に設置する反射鏡（１８）は上記の構成に限らず、展示物１３によって適宜変更しても良い。また展示物収納部９の天面中央に設置する反射鏡（１８）は、鏡面に限らず拡散反射鏡であっても同様の効果を示す。
【００８６】
第６の実施の形態によれば、展示物１３を真上方向から効果的に照明できる。
【００８７】
その他は、第４の実施の形態と同様である。
【００８８】
この発明の第７の実施の形態を図１０に示す。すなわち、この照明装置は、第６の実施の形態（図９）において、展示物収納部９の天面中央に設置した反射鏡（１８）の各反射面１８ａが独立して設けられ、任意の角度調節が可能であり、各導光部材６の上方の反射鏡（８）の角度に応じて変更できるように構成しているものである。
【００８９】
第７の実施の形態は、導光部材６の上方に設置されている反射鏡（８）および展示物収納部９の天面中央に設置した反射鏡（１８）の角度を調節することによって、配光制御が容易に行える。したがって、展示物１３の上方からの配光制御が精密かつ容易となる。
【００９０】
この発明の第８の実施の形態を図１１に示す。すなわち、この照明装置は、第６の実施の形態において、導光部材６および光源装置７を第１の実施の形態のように板状またはパネル状としたものであり、その上端にそれぞれ光制御部材８がある。展示物収納部９の天面中央の反射鏡（１８）は導光部材６と同数の２面の反射面１８ａで構成される。その他は、第６の実施の形態と同様である。
【００９１】
この発明の第９の実施の形態を図１２に示す。すなわち、この照明装置は、第４の実施の形態において、導光部材６の展示物収納部９を構成するガラス側の側面の任意の位置に任意の幅で内面が拡散反射面となった拡散反射部材２０が密着設置されている構造である。拡散反射部材２０としては、拡散反射率の高いテープ或いは塗料等が使用される。導光部材６にテープを貼付したり、塗料を塗布する。
【００９２】
導光部材６を導光する光の一部が、拡散反射部材２０で拡散反射され、そのうち導光部材６の臨界角以上となった光が、拡散反射部材２０の対向する導光部材６の側面付近を透過し、導光部材６の側面から出射されることにより、展示物１３を照明する。
【００９３】
この実施の形態によれば、容易に任意の高さから照明でき、かつ複数位置からの照明が容易にできる。その他は第１の実施の形態と同様である。
【００９４】
この発明の第１０の実施の形態を図１３に示す。すなわち、この照明装置は、第１の実施の形態において、板状の導光部材６の展示物収納部９を構成するガラス側の側面の任意の位置に任意の幅で内面が拡散反射面となった拡散反射部材２０が密着設置されている構造である。拡散反射部材２０としては、拡散反射率の高いテープまたは塗料等が使用される。
【００９５】
導光部材６を導光する光の一部が、拡散反射部材２０で拡散反射され、そのうち導光部材６の臨界角以上となった光が、拡散反射部材２０の対向する導光部材６の側面付近を透過し、導光部材６の側面から出射されることにより、展示物１３を照明する。
【００９６】
第１０の実施の形態によれば、さらに容易に任意の位置から照明できる。
【００９７】
この発明の第１１の実施の形態を図１４に示す。すなわち、この照明装置は、第９の実施の形態（図１２）において、拡散反射部材２０として導光部材６の展示物１３側の側面の任意の位置に任意の幅でプリズムが密着設置されている構造である。このプリズムは導光部材６と同等以上の屈折率を持つ透明材質でできている。プリズム（２０）の断面形状は上面が水平な直角三角形形状である。プリズム（２０）と導光部材６は、プリズムと同等の屈折率を持つ透明な接着剤で接合されている。
【００９８】
導光部材６とプリズム（２０）の界面は屈折率が同等であるため、光学的に略一体化された状態であり、このため導光部材を導光する光でプリズム（２０）の界面に到達した光は、そのまま導光部材６を透過してプリズム内に入射する。プリズムに入射した光は１回或いは複数回反射した後、主にプリズム下面から出射し、展示物１３を照明する。したがって、第４の実施の形態（図５）よりもさらに配光制御が容易となる。
【００９９】
なお、プリズムの材質としては屈折率が導光部材６以下でも同様の効果を示すが、屈折率が導光部材６以上のものに比べてその効果は小さい。またプリズム上面に鏡面処理を施せば、プリズム上面から漏れ光が生じるのを防ぐことができ、さらに効率よく展示物１３を照明できる。さらにプリズムの形状は、これに特定されるものではなく、照射方向に応じて変更しても同様の効果が得られる。
【０１００】
この発明の第１２の実施の形態を図１５に示す。すなわち、この照明装置は、第１の実施の形態において、第１１の実施の形態（図１４）と同様に導光部材６の展示物１３側の側面の任意の位置に拡散反射部材２０として任意の幅のプリズムが密着設置されている構造である。
【０１０１】
その他は、第１の実施の形態および第１１の実施の形態と同様である。
【０１０２】
この発明の第１３の実施の形態を図１６に示す。すなわち、この照明装置は、第１１の実施の形態（図１４）において、プリズム（２０）と同幅の透明なフッ素樹脂製の熱収縮べルト２２を導光部材６を覆うように設置し、その両端がプリズム（２０）の両側面の導光部材６側にプリズムと同材質の接着剤で接着され、これにより拡散反射部材２０を導光部材６に固定している。熱収縮ベルト２２は熱を付加されて、プリズムの１面が導光部材に密接固定される程度に収縮している。
【０１０３】
フッ素樹脂製のベルト２２は低屈折率であるため、導光部材６との接触による光漏れは殆どない。またプリズム（２０）と導光部材６は接着固定されていないため、導光部材６に沿って容易にスライドさせて任意の高さに調節でき、任意の高さから照明できる。
【０１０４】
第１３の実施の形態によれば、高さ調節が容易になる。
【０１０５】
なお、プリズムの密接固定用のべルトとしては、熱収縮材を用いる他に、通常のフッ素樹脂ベルトを締め付け調節できる治具を用いて締め付け固定しても同様の効果が得られる。
【０１０６】
この発明の第１４の実施の形態を図１７に示す。すなわち、この照明装置は、第４の実施の形態（図５）において、導光部材６の展示物１３側の側面の任意の位置に任意の幅で、多数の凹凸２７、例えば傷や切り欠きを設けたものである。
【０１０７】
導光部材６を導光してきた光の一部が凹凸２７の切り欠き部に入射すると、その大部分が凹凸面に対して臨界角以上となるため、導光部材６から出射され、展示物１３を照明する。
【０１０８】
第１４の実施の形態によれば、図１２に示す第９の実施の形態の効果がある。
【０１０９】
この発明の第１５の実施の形態を図１８に示す。すなわち、この照明装置は、第４の実施の形態（図５）において、導光部材６の一部をショーケース土台１１の内部に土台の高さの範囲で収納できるように、導光部材６を上下移動可能に底板９ａに設けている。導光部材６の下部をショーケース土台１１の内部に自在に収納することにより、展示物収納部９での導光部材６の高さを容易に調節でき、任意の高さから展示物１３を照明できる。
【０１１０】
第１５の実施の形態によれば、第４の実施の形態おいてさらに任意の高さから照明できる。その他は第４の実施の形態と同様である。
【０１１１】
この発明の第１６の実施の形態を図１９に示す。すなわち、この照明装置は、第１の実施の形態（図１）において、第１５の実施の形態と同様に導光部材６の一部をショーケース土台１１の内部に土台の高さの範囲で収納できるように、導光部材６を上下移動可能に底板９ａに設けている。また各導光部材６の下端にそれぞれ光源装置７を取付けている。その他は、第１および第１５の実施の形態と同様である。
【０１１２】
この発明の第１７の実施の形態を図２０に示す。すなわち、この照明装置は、第４の実施の形態（図５）において、導光部材６の上端の上方に設けた光制御部材８の反射鏡は導光部材６の上端付近の水平な軸３０のまわりに回転でき、反射鏡（８）を任意の角度に調節が可能となっている。反射鏡（８）の角度を調節することにより、鉛直面での任意の方向に配光制御することができ、効果的に展示物１３を照明できる。したがって、第４の実施の形態においてさらに任意方向に容易に配光制御できる。その他は、第４の実施の形態と同様である。
【０１１３】
この発明の第１８の実施の形態を図２１に示す。すなわち、この照明装置は、第１の実施の形態において、導光部材６の上端の上方に設けた光制御部材８の反射鏡は導光部材６の上端付近の水平な軸３０のまわりに回転でき、任意の角度調節が可能となっている。
【０１１４】
その他は、第１の実施の形態と同様である。
【０１１５】
この発明の第１９の実施の形態を図２２に示す。すなわち、この照明装置は、第１７の実施の形態において、導光部材６の上端上方に設けた光制御部材８の反射鏡は矢印Ｑのように軸３０のまわりの上下方向の回動とともに、導光部材６の長手方向を軸として矢印Ｐの方向に、例えば二重円筒体構造による水平回転もできる構成である。このように、反射鏡（８）の水平面での角度を調節することにより、さらに水平面での任意の方向にも配光制御することができ、効果的に展示物１３を照明できる。したがって、第１７の実施の形態においてさらに任意方向に容易に配光制御できることとなる。
【０１１６】
この発明の第２０の実施の形態を図２３に示す。すなわち、この照明装置は、第１の実施の形態において、導光部材６の上端上方に光制御部材８の反射鏡が複数設置されている。各反射鏡の下部には内面が鏡面となったコの字状のはめ込み部が設けた固定部材３２を設け、導光部材６の上端付近にはめ込んで固定できるようになっている。また反射鏡（８）は固定部材３２に対して第１９の実施の形態と同様の２軸回転が可能な構成となっている。
【０１１７】
したがって個々の反射鏡（８）は第１９の実施の形態と同様の作用を示す。また固定部３２の上部の水平方向の回転機構部の円筒部３６が長い時は、内周面３３に鏡面処理を施す、或いは内径が略一致する導光用の透明ロッドを挿入する等すれば、回転機構部での損失をある程度防ぐことができる。また固定部３２は金属板であるので、導光部材６にはめ込んだ際の導光部材６との接触面積はそれほど多くないので、接触による損失は少ない。前記損失を防止する手段としては固定部材３２の内面に先端が丸い突起を複数設けて、その突起部との接触圧で固定するようにすればよい。
【０１１８】
第２０の実施の形態によれば、図２２に示す第１９の実施の形態においてさらに個々の反射鏡を任意の方向に調節できるため、より幅広い配光制御ができる。
【０１１９】
この発明の第２１の実施の形態を図２４に示す。すなわち、この照明装置は、第１７の実施の形態（図２０）において、導光部材６の上端と反射鏡（８）の間に凸レンズ３５が設けられている。凸レンズ３５はレンズボックス３６の上端に固定されている。導光部材６とレンズボックス３６は連結パーツ３７を介して固定され、導光部材６の先端と凸レンズ３５が特定の距離をおいて固定されている。したがって、導光部材６の上端からの出射光は凸レンズ３５によってある程度絞られた配光となる。このため特定の領域を狙った照明ができる。また展示物１３への照射角は凸レンズ３５と導光部材６の出射端との距離で決まる。したがって、第１７の実施の形態においてさらに照射角を絞った配光が可能となる。
【０１２０】
この発明の第２２の実施の形態を図２５に示す。すなわち、この照明装置は、第２１の実施の形態において、レンズボックス３６と連結パーツ３７との間にスライド機構が設けられており、凸レンズ３５と導光部材６の上端の距離を任意にまたは焦点距離の範囲内で変更できるようになっている。スライド機構はレンズボックス３６を連結パーツ３７に摺動自在に嵌合し、固定ねじ４０で任意の位置に固定する。
【０１２１】
第２１の実施の形態においてさらに凸レンズ３５と導光部材６の上端の距離を変更することにより、展示物１３に応じて照射角を任意に変更できる。したがって、第２１の実施の形態においてさらに照射角を任意に変更でき、より幅広い配光制御ができる。
【０１２２】
この発明の第２３の実施の形態を図２６に示す。すなわち、この照明装置は、第１の実施の形態（図１）において、導光部材６の内側（展示物側）の任意の位置に内面が拡散反射面となった拡散反射部材４１を文字の形として密着させた構造である。
【０１２３】
第１の実施の形態において拡散反射部材４１で導光光が反射されて展示ショーケース１０の外側に向かって発光するため、構成された文字が導光部材６上で視認できるようになり、照明作用と表示作用を兼ねることができる。
【０１２４】
このため、第１の実施の形態においてさらに表示作用を兼ねることができる。図２６（ｂ）は第１８の実施の形態（図２１）の導光部材６に拡散反射部材４１を設けた例である。
【０１２５】
この発明の第２４の実施の形態を図２７に示す。すなわち、この照明装置は、第９の実施の形態（図１２）において、導光部材６を板状とし、導光部材６の外側の任意の箇所に、無数の凹凸４５、例えば傷や切り欠きで特定の文字を描いて形成したものである。
【０１２６】
第９の実施の形態と同様の作用で凹凸４５の傷や切り欠きで導光光が反射されて展示ショーケース１０の外側に向かって発光するため、構成された文字が導光部材６上で視認できるようになり、照明作用と表示作用を兼ねることができる。その他第２３の実施の形態（図２６）と同様である。
【０１２７】
なお、光制御部材８は導光部材６の一部を制御するものでもよい。また、ショーケース１０は周側面の４面および天面のうち少なくとも一部が透明であればよい。
【０１２８】
【発明の効果】
請求項１記載の照明装置によれば、導光部材は透明であるため展示物鑑賞の障害とならず、美観を損ねない。導光部材によりケース上部まで容易に導光でき、ケースの天井部が透明でも導光部材を設置できる。また光制御部材により配光制御が容易になり、さらに光源装置を鑑賞の妨げとならない位置に設置することによりメンテナンスを容易にできる。また展示物収納部での導光部材の高さを容易に調節でき、任意の高さから展示物を照明できる。
【０１２９】
請求項２記載の照明装置によれば、請求項１と同様な効果がある。
【０１３０】
請求項３記載の照明装置によれば、請求項２と同様な効果がある。
【０１３１】
請求項４記載の照明装置によれば、請求項３と同様な効果がある。
【０１３２】
請求項５記載の照明装置によれば、請求項１と同様な効果のほか、導光部材が展示物収納部の隅に位置するので、より一層鑑賞を妨げない。
【０１３３】
請求項６記載の照明装置によれば、請求項５と同様な効果のほか、展示物収納部のケースの隅にフィットし、略一体化した状態となるため、より展示物の鑑賞を損ねない。
【０１３４】
請求項７記載の照明装置によれば、導光部材は透明であるため展示物鑑賞の障害とならず、美観を損ねない。導光部材によりケース上部まで容易に導光でき、ケースの天井部が透明でも導光部材を設置できる。また光制御部材により配光制御が容易になり、さらに光源装置を鑑賞の妨げとならない位置に設置することによりメンテナンスを容易にできる。展示物の下面の照明が容易にでき、また導光部材は殆ど光らず透明であるので鑑賞を妨げず目的の場所を効果的に照明できる。
【０１３５】
請求項８記載の照明装置によれば、請求項７と同様な効果がある。
【０１３６】
請求項９記載の照明装置によれば、導光部材は透明であるため展示物鑑賞の障害とならず、美観を損ねない。導光部材によりケース上部まで容易に導光でき、ケースの天井部が透明でも導光部材を設置できる。また光制御部材により配光制御が容易になり、さらに光源装置を鑑賞の妨げとならない位置に設置することによりメンテナンスを容易にできる。また任意の方向に容易に配光制御することができる。
【０１３７】
請求項１０記載の照明装置によれば、請求項９と同様な効果がある。
【０１３８】
請求項１１記載の照明装置によれば、請求項９または請求項１０と同様な効果のほか、導光部材の長手方向である光軸方向を軸として回転可能としたため、照射角を任意に変更でき、より幅広い配光制御ができる。
【０１３９】
請求項１２記載の照明装置によれば、請求項９または請求項１０と同様な効果のほか、照射角を絞った配光ができる。
【０１４０】
請求項１３記載の照明装置によれば、請求項１２と同様な効果のほか、展示物に応じて照射角を任意に変更でき、幅広い配光制御が行なえる。
【０１４１】
請求項１４記載のショーケースによれば、請求項１から請求項１３までのいずれか１項と同様の効果がある。
【図面の簡単な説明】
【図１】この発明の第１の実施の形態の斜視図である。
【図２】それぞれ変形の実施の形態を示し、（ａ）は光制御部材を示す部分斜視図、（ｂ）〜（ｄ）はそれぞれ光源装置を示す部分斜視図である。
【図３】第２の実施の形態の斜視図である。
【図４】第３の実施の形態の斜視図である。
【図５】第４の実施の形態の斜視図である。
【図６】それぞれ形状の異なる導光部材を示す断面図である。
【図７】第５の実施の形態の要部斜視図である。
【図８】その変形の実施の形態の部分斜視図である。
【図９】第６の実施の形態の斜視図である。
【図１０】第７の実施の形態の斜視図である。
【図１１】第８の実施の形態の斜視図である。
【図１２】第９の実施の形態の斜視図である。
【図１３】第１０の実施の形態の斜視図である。
【図１４】第１１の実施の形態を示し、（ａ）は部分斜視図、（ｂ）はその側面図である。
【図１５】第１２の実施の形態の斜視図である。
【図１６】第１３の実施の形態の斜視図である。
【図１７】第１４の実施の形態の斜視図である。
【図１８】第１５の実施の形態の斜視図である。
【図１９】第１６の実施の形態の斜視図である。
【図２０】第１７の実施の形態の部分斜視図である。
【図２１】第１８の実施の形態の部分斜視図である。
【図２２】第１９の実施の形態の部分斜視図である。
【図２３】第２０の実施の形態の部分斜視図である。
【図２４】第２１の実施の形態を示し、（ａ）は要部斜視図、（ｂ）はその断面図である。
【図２５】第２２の実施の形態の要部断面図である。
【図２６】第２３の実施の形態の斜視図である。
【図２７】第２４の実施の形態の要部斜視図である。
【図２８】第１の従来例の斜視図である。
【図２９】第２の従来例の斜視図である。
【図３０】第３の従来例の斜視図である。
【図３１】第３の従来例の別の斜視図である。
【図３２】第４の従来例の斜視図である。
【符号の説明】
１    前面
２    背面
３    側面
４    側面
５    上面
６    導光部材
７    光源装置
８    光制御部材
９    展示物収納部
１０    ショーケース
１１    ショーケース土台
１３    展示物
１８    光制御部材
２０    拡散反射部材
２７    凹凸
３５    凸レンズ
【図１】
0003832189.tif 000002
【図２】
0003832189.tif 000003
【図３】
0003832189.tif 000004
【図４】
0003832189.tif 000005
【図５】
0003832189.tif 000006
【図６】
0003832189.tif 000007
【図７】
0003832189.tif 000008
【図８】
0003832189.tif 000009
【図９】
0003832189.tif 000010
【図１０】
0003832189.tif 000011
【図１１】
0003832189.tif 000012
【図１２】
0003832189.tif 000013
【図１３】
0003832189.tif 000014
【図１４】
0003832189.tif 000015
【図１５】
0003832189.tif 000016
【図１６】
0003832189.tif 000017
【図１７】
0003832189.tif 000018
【図１８】
0003832189.tif 000019
【図１９】
0003832189.tif 000020
【図２０】
0003832189.tif 000021
【図２１】
0003832189.tif 000022
【図２２】
0003832189.tif 000023
【図２３】
0003832189.tif 000024
【図２４】
0003832189.tif 000025
【図２５】
0003832189.tif 000026
【図２６】
0003832189.tif 000027
【図２７】
0003832189.tif 000028
【図２８】
0003832189.tif 000029
【図２９】
0003832189.tif 000030
【図３０】
0003832189.tif 000031
【図３１】
0003832189.tif 000032
【図３２】
0003832189.tif 000033